(57)【要約】      （修正有）【課題】雨のときにスコアカードを濡らすことがなく、かつ晴天時にも使いやすいスコアカードケースを提供する。【解決手段】ケース台紙１の内面に内方カード保持片７、１０を設ける。このケース台紙１にスコアカードを覆う大きさのカバー部材１３を開閉可能に設ける。このカバー部材には、外方カード保持片１４、１５が設けられている。スコアカード１８は、内方カード保持片若しくは外方カード保持片のいずれの部分にも差し込んで使用することができる。【選択図】図４
0003110456.tif 000002
【実用新案登録請求の範囲】
【請求項１】
スコアカードを展開可能に折り畳み状態で保持するケース台紙を有し、該ケース台紙の内面に上記スコアカードを覆う大きさのカバー部材を開閉可能に形成し、該カバー部材にスコアカードを保持する外方カード保持片を設けたスコアカードケース。
【請求項２】
上記カバー部材は、一端がケース台紙の端縁に沿って固定され、該固定端側の縁部と自由端側の縁部に上記外方カード保持片が設けられている請求項１に記載のスコアカードケース。
【請求項３】
上記ケース台紙は、内方カード保持片を有し、上記カバー部材は該内方カード保持片に挿入可能である請求項１または２に記載のスコアカードケース。
【請求項４】
折り畳み可能に連結されスコアカードを保持する内方カード保持片を形成した一対の台紙部を有するケース台紙を具備し、一方の台紙部の内方カード保持片は該台紙部の端縁に沿って帯状に設けられ、該帯状の内方カード保持片の内方にカバー部材の一端を挿入して固定し、該カバー部材の表面にスコアカードを保持する外方カード保持片を設け、上記帯状の内方カード保持片を外方カード保持片と兼用したことを特徴とするスコアカードケース。
【考案の詳細な説明】
【技術分野】
【０００１】
本考案は、ゴルフ、グラウンドゴルフ、パークゴルフ等において、スコアカードを折り畳み状態で保持し、展開して簡単にスコアを記入できるようにしたスコアカードケースに関する。
【背景技術】
【０００２】
グラウンドゴルフ等においては、各種のスコアカードケースが使用されており、雨のときにスコアカードが濡れないよう内面に雨よけのカバーを設けたカードケースも知られている（例えば、特許文献１参照）。しかし、従来知られているカードケースでは、雨が降らないときでも、スコアカードの表面がカバーで覆われているから、記入する際に雨よけのカバーが邪魔になり、使いにくい。
【特許文献１】実公昭３５−１００１３号公報（登録請求の範囲、図面）
【考案の開示】
【考案が解決しようとする課題】
【０００３】
本考案の解決課題は、雨のときはスコアカードが濡れないようにできると共に雨が降らないときには従来と同じようにスコアを記入できるようにしたスコアカードを提供することである。
【課題を解決するための手段】
【０００４】
本考案によれば、スコアカードを展開可能に折り畳み状態で保持するケース台紙を有し、該ケース台紙の内面に上記スコアカードを覆う大きさのカバー部材を開閉可能に形成し、該カバー部材にスコアカードを保持する外方カード保持片を設けたスコアカードケースが提供され、上記課題が解決される。
【考案の効果】
【０００５】
本考案は上記のように構成され、ケース台紙の内面にスコアカードを覆う大きさのカバー部材を形成し、該カバー部材に外方カード保持片を設けたから、雨が降っていないときは、カバー部材上にスコアカードを載せて外方カード保持片に保持させておけば、ケース台紙を開くとすぐにスコアカードが表われてスコアを記入することができる。雨等のときはカバー部材を開いてその下にスコアカードを挿入し、ケース台紙上にスコアカードを保持させれば、濡らさないようにできる。
【考案を実施するための最良の形態】
【０００６】
本考案のスコアカードケースは、従来のものとほぼ同様に、スコアカードを展開可能に折り畳み状態で保持するケース台紙（１）を有する。ケース台紙（１）は、図３に示すように芯板（２）の表面をプラスチックフィルム若しくはシート、布、皮その他適宜の表装シート（３）で覆い、ヒンジ（４）で連結された台紙部（５）、（６）を有しているが、厚紙、板紙等の紙材料、プラスチックシート、金属製シートその他適宜の材料に折目を設けて台紙部（５）、（６）を一枚の基材で構成してもよい。
【０００７】
上記ケース台紙（１）には、スコアカードを保持する内方カード保持片が設けられているが、この内方カード保持片の構成としては、従来の種々の保持片を適宜に採用することができる。図２に示す実施例では、一方の台紙部（５）の端縁に沿って透視性のあるプラスチックフィルム若しくはシート材料で帯状の内方カード保持片（７）を設け、この内方カード保持片（７）の外方縁（８）及び両側縁（９）をヒートシール等により台紙部（５）に固定し、他方の台紙部（６）の端縁の角部に上記内方カード保持片（７）とほぼ同様の材料でコーナーポケット状の内方カード保持片（１０）を設け、該内方カード保持片（１０）の外方縁（１１）及び側縁（１２）をヒートシール等により台紙部（６）に固定してある。その他カード保持片としては、透視性のあるプラスチックフィルム若しくはシート材料を帯状に形成してその両端をケース台紙の側辺に固定する構造も知られているが、そのような構成のカード保持片を適宜採用することもできる。
【０００８】
上記ケース台紙（１）の内面には、スコアカードを覆う大きさのカバー部材（１３）が開閉可能に設けられている。該カバー部材（１３）は、好ましくは透視性のあるプラスチックフィルム若しくはシート材料で作られているが、不透視性のプラスチックフィルム若しくはシート材料や耐水性のある紙材料、布材料、皮材料その他適宜の柔軟性材料で構成することもできる。
【０００９】
上記カバー部材（１３）は、図２、図３に示すように一端が台紙部（５）の端縁に沿ってヒートシール等により固定され、図において下方端縁が自由端となっているが、図において右側若しくは左側の側縁を台紙部（５）、（６）の側辺に固定し、カバー部材の左側若しくは右側の側縁が自由端となるようにしてもよい。
【００１０】
上記のカバー部材（１３）には、スコアカードを保持するための外方カード保持片が設けられる。該外方カード保持片は、上記カバー部材（１３）の固定端側の縁部と自由端側の縁部に設けられているが、帯状のカード保持片をカバー部材の中間部等に設けることもできる（図示略）。該外方カード保持片は、上述した内方カード保持片とほぼ同じように種々の保持片を適所に独立的に設けてもよいが、好ましくは上記内方カード保持片の一部と兼用できるようにするとよい。
【００１１】
図２、図３は、上記帯状の内方カード保持片（７）を一方の外方カード保持片（１４）と兼用した実施例を示し、上記カバー部材（１３）の一端（固定端側）を上記内方カード保持片（７）の内方に挿入し、上記外方縁（８）で内方カード保持片と一緒にヒートシール等で固定してあり、他端（自由端側）の角部にはコーナーポケット状の外方カード保持片（１５）を設け、該外方カード保持片（１５）の外方端（１６）及び側端（１７）をカバー部材（１３）に固定してある。また、この外方カード保持片（１５）は、上記内方カード保持片（１０）に挿入できるように設けられている。
【００１２】
雨の降っていないときに、図２、図３に示すスコアカードケースを使用するには、図４、図５に示すようにスコアカード（１８）をカバー部材（１３）の上に載せ、上記内方兼外方カード保持片（７）、（１４）と外方カード保持片（１５）に差し込んで使用すればよい。このようにすれば、通常のスコアカードケースと同様にスコアカードが表面に表われているから、支障なく使用することができる。
【００１３】
雨のときは、図６に示すようにカバー部材（１３）をめくって、スコアカード（１８）をカバー部材（１３）の下に入れ（図７）、内方カード保持片（７）、（１０）に差し込み、スコアを記入する際にカバー部材（１３）を開くようにすればよい。
【００１４】
図８は、他の実施例を示し、台紙部（６）の中間部に両側を該台紙部（６）に固定した内方カード保持片（１９）を形成し、該内方カード保持片（１９）にカバー部材（１３）の自由端側を挿通させて外方カード保持片（２０）と兼用している。他方の台紙部（５）には、図２、図３に示す内方外方兼用型のカード保持片（７）、（１４）と同様の内方外方兼用型カード保持片（２１）が設けられ、その内方にカバー部材の一端が固定されているので、この実施例によれば、カバー部材（１３）に独立して外方カード保持片を設けなくても済む。
【００１５】
図９は、さらに他の実施例を示し、一方の台紙部（５）の角部に内方外方兼用型のカード保持片（２２）、（２３）を設け、該カード保持片（２２）、（２３）の内方でカバー部材（１３）の一端（２４）を台紙部（５）に固定してある。他方の台紙部（６）の端縁には、外方端（２５）及び両側端（２６）を台紙部（６）に固定した内方外方兼用型のカード保持片（２７）を設けてあり、上記カバー部材（１３）の自由端側を該カード保持片（２７）に挿入可能にしてある。
【００１６】
図示したカード保持片は、いずれも本考案の一実施例を示すものであり、本考案の精神を逸脱しない範囲で種々改変できることは当業者には明らかである。
【図面の簡単な説明】
【００１７】
【図１】折り畳んだ状態の斜視図。
【図２】展開した状態の正面図。
【図３】図２のＡ−Ａ線一部省略拡大断面図。
【図４】スコアカードを差し込んだ状態の正面図。
【図５】図４の一部の拡大説明図。
【図６】スコアカードをカバー部材の下に差し込む状態の説明図。
【図７】スコアカードをカバー部材の下に差し込んだ状態の拡大説明図。
【図８】他の実施例を示す説明図。
【図９】さらに他の実施例を示す説明図。
【符号の説明】
【００１８】
１    ケース台紙
５、６    台紙部
７、１０    内方カード保持片
１３    カバー部材
１４、１５    外方カード保持片
１８    スコアカード
【図１】
0003110456.tif 000003
【図２】
0003110456.tif 000004
【図３】
0003110456.tif 000005
【図４】
0003110456.tif 000006
【図５】
0003110456.tif 000007
【図６】
0003110456.tif 000008
【図７】
0003110456.tif 000009
【図８】
0003110456.tif 000010
【図９】
0003110456.tif 000011